(57)【要約】【課題】温水洗浄装置や暖房便座などの装置に寿命がきて故障が生じる前にメンテナンスを受けることが可能となり、故障が未然に防止されるようにする。【解決手段】  装置の製造後、据付後、あるいは使用開始後、設定時間Ｔが経過すると液晶パネル４１に「サービスセンターに連絡するように」等の表示が行われる。これにより、該装置に寿命がきて故障が生じる前にメンテナンスを受けることができ、故障が未然に防止される。サービスセンターから派遣されたサービスマンがメンテナンスを行った後、スイッチ４２〜４６を特定パターンに従って操作することによってリセット信号が生じて不揮発性記憶部の記憶時間がキャンセルされ、再度０から計時が再開する。メンテナンスを受けないと、その後、所定時間経過したときにヒータ４，１３への通電を停止する。【選択図】  図１
2005194877.tif 000002
【特許請求の範囲】
【請求項１】
経過した時間を積算した積算時間を記憶する不揮発性記憶部と、該不揮発性記憶部で記憶された積算時間が設定時間に達したときに視覚的又は音声的な表示を行う表示手段とを備えたことを特徴とする電気設備。
【請求項２】
請求項１において、前記設定時間を再設定する再設定手段を備えたことを特徴とする電気設備。
【請求項３】
請求項１又は２において、前記設定時間として第１の設定時間と、それよりも長い第２の設定時間とが設定されており、前記表示手段は第１の設定時間に達したときに作動するものであり、第２の設定時間に達したときに該流体供給装置の少なくとも一部の機器への通電量を低下させるか又は通電を停止する手段を備えたことを特徴とする電気設備。
【請求項４】
請求項１又は２において、前記設定時間として第１の設定時間と、それよりも長い第２の設定時間と、さらにそれよりも長い第３の設定時間とが設定されており、前記表示手段は第１の設定時間に達したときに作動するものであり、
第２の設定時間に達したときに該電気設備の少なくとも一部の機器への通電量を低下させるか又は通電を停止する手段と、
第３の設定時間に達したときに通電量を低下させるか又は通電を停止する機器の数を増大させる手段とを備えたことを特徴とする電気設備。
【請求項５】
請求項１ないし４のいずれか１項において、前記経過した時間は該電気設備に通電した時間であることを特徴とする電気設備。
【請求項６】
請求項１ないし４のいずれか１項において、前記経過した時間は該電気設備の一部の機器へ通電した時間であることを特徴とする電気設備。
【請求項７】
電気設備の少なくとも一部の機器の作動回数の積算回数を記憶する不揮発性記憶部と、該不揮発性記憶部で記憶された積算回数が設定回数に達したときに視覚的又は音声的な表示を行う表示手段とを備えたことを特徴とする電気設備。
【請求項８】
請求項７において、前記設定回数を再設定する再設定手段を備えたことを特徴とする電気設備。
【請求項９】
請求項７又は８において、前記設定回数として第１の設定回数と、それよりも多い第２の設定回数とが設定されており、前記表示手段は第１の設定回数に達したときに作動するものであり、第２の設定回数に達したときに該電気設備の少なくとも一部の機器への通電量を低下させるか又は通電を停止する手段を備えたことを特徴とする電気設備。
【請求項１０】
請求項７又は８において、前記設定回数として第１の設定回数と、それよりも多い第２の設定回数と、さらにそれよりも多い第３の設定回数とが設定されており、前記表示手段は第１の設定回数に達したときに作動するものであり、
第２の設定回数に達したときに該電気設備の少なくとも一部の機器への通電量を低下させるか又は通電を停止する手段と、
第３の設定回数に達したときに通電量を低下させるか又は通電を停止する機器の数を増大させる手段とを備えたことを特徴とする電気設備。
【請求項１１】
制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに視覚的又は音声的な表示を行う表示手段とを備えたことを特徴とする電気設備。
【請求項１２】
請求項１ないし１１のいずれか１項の電気設備を備えてなる流体供給装置。
【請求項１３】
流体を供給する流体供給装置において、
該流体供給装置を通過した流体量を積算した積算流体量を記憶する不揮発性記憶部と、該不揮発性記憶部で記憶された積算流体量が設定流体量に達したときに視覚的又は音声的な表示を行う表示手段とを備えたことを特徴とする液体供給装置。
【請求項１４】
請求項１３において、前記設定流体量を再設定する再設定手段を備えたことを特徴とする流体供給装置。
【請求項１５】
請求項１３又は１４において、前記設定流体量として第１の設定流体量と、それよりも多い第２の設定流体量とが設定されており、前記表示手段は第１の設定流体量に達したときに作動するものであり、第２の設定流体量に達したときに該流体供給装置の少なくとも一部の機器への通電量を低下させるか又は通電を停止する手段を備えたことを特徴とする流体供給装置。
【請求項１６】
請求項１３又は１４において、前記設定流体量として第１の設定流体量と、それよりも多い第２の設定流体量と、さらにそれよりも多い第３の設定流体量とが設定されており、前記表示手段は第１の設定流体量に達したときに作動するものであり、
第２の設定流体量に達したときに該流体供給装置の少なくとも一部の機器への通電量を低下させるか又は通電を停止する手段と、
第３の設定流体量に達したときに通電量を低下させるか又は通電を停止する機器の数を増大させる手段とを備えたことを特徴とする流体供給装置。
【請求項１７】
流体を所定温度に加熱して供給する流体供給装置において、
経過した時間を積算した積算時間を記憶する不揮発性記憶部と、該不揮発性記憶部で記憶された積算時間が設定時間に達したときに供給する流体の温度又は供給量を低下させる制御手段とを備えたことを特徴とする流体供給装置。
【請求項１８】
請求項１７において、前記設定時間を再設定する再設定手段を備えたことを特徴とする流体供給装置。
【請求項１９】
請求項１７又は１８において、前記設定時間として第１の設定時間と、それよりも長い第２の設定時間とが設定されており、前記制御手段は第１の設定時間に達したときに作動するものであり、第２の設定時間に達したときに流体の加熱又は供給を停止する停止手段を備えたことを特徴とする流体供給装置。
【請求項２０】
請求項１７又は１８において、前記設定時間として第１の設定時間と、それよりも長い第２の設定時間と、さらにそれよりも長い第３の設定時間とが設定されており、前記制御手段は第１の設定時間に達したときに作動するものであり、
第２の設定時間に達したときに流体の加熱量又は供給量を低下させる手段と、
第３の設定時間に達したときに流体の加熱又は供給を停止する停止手段とを備えたことを特徴とする流体供給装置。
【請求項２１】
請求項１７ないし２０のいずれか１項において、前記経過した時間は該流体供給装置に通電した時間であることを特徴とする流体供給装置。
【請求項２２】
請求項１７ないし２０のいずれか１項において、前記経過した時間は該流体供給装置の一部の機器へ通電した時間であることを特徴とする流体供給装置。
【請求項２３】
流体を所定温度に加熱して供給する流体供給装置において、
該流体供給装置の少なくとも一部の機器の作動回数の積算回数を記憶する不揮発性記憶部と、該不揮発性記憶部で記憶された積算回数が設定回数に達したときに、供給する流体の温度又は供給量を低下させる制御手段とを備えたことを特徴とする流体供給装置。
【請求項２４】
請求項２３において、前記設定回数を再設定する再設定手段を備えたことを特徴とする流体供給装置。
【請求項２５】
請求項２３又は２４において、前記設定回数として第１の設定回数と、それよりも多い第２の設定回数とが設定されており、前記制御手段は第１の設定回数に達したときに作動するものであり、第２の設定回数に達したときに流体の加熱又は供給を停止する停止手段を備えたことを特徴とする流体供給装置。
【請求項２６】
請求項２３又は２４において、前記設定回数として第１の設定回数と、それよりも多い第２の設定回数と、さらにそれよりも多い第３の設定回数とが設定されており、前記制御手段は第１の設定回数に達したときに作動するものであり、
第２の設定回数に達したときに流体の加熱量又は供給量を低下させる手段と、
第３の設定回数に達したときに流体の加熱又は供給を停止する停止手段とを備えたことを特徴とする流体供給装置。
【請求項２７】
流体を所定温度に加熱して供給する流体供給装置において、
該流体供給装置を通過した流体量を積算した積算量を記憶する不揮発性記憶部と、該不揮発性記憶部で記憶された積算量が設定量に達したときに、供給する流体の温度又は供給量を低下させる制御手段とを備えたことを特徴とする流体供給装置。
【請求項２８】
請求項２７において、前記設定量を再設定する再設定手段を備えたことを特徴とする流体供給装置。
【請求項２９】
請求項２７又は２８において、前記設定量として第１の設定量と、それよりも多い第２の設定量とが設定されており、前記制御手段は第１の設定量に達したときに作動するものであり、第２の設定量に達したときに流体の加熱又は供給を停止する停止手段を備えたことを特徴とする流体供給装置。
【請求項３０】
請求項２７又は２８において、前記設定量として第１の設定量と、それよりも多い第２の設定量と、さらにそれよりも多い第３の設定量とが設定されており、前記制御手段は第１の設定量に達したときに作動するものであり、
第２の設定量に達したときに流体の加熱量又は供給量を低下させる手段と、
第３の設定量に達したときに流体の加熱又は供給を停止する停止手段とを備えたことを特徴とする流体供給装置。
【請求項３１】
流体を所定温度に加熱して供給する流体供給装置において、
該流体供給装置の制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに供給する流体の温度又は供給量を低下させる手段とを備えたことを特徴とする流体供給装置。
【請求項３２】
請求項１２ないし３１のいずれか１項において、前記不揮発性記憶部は、不揮発性記憶素子であることを特徴とする流体供給装置。
【請求項３３】
請求項１２ないし３１のいずれか１項において、前記不揮発性記憶部は、揮発性記憶素子とバックアップ電池とからなることを特徴とする流体供給装置。
【請求項３４】
請求項１ないし３３のいずれか１項において、前記流体供給装置は温水洗浄装置又は温風ファンであることを特徴とする流体供給装置。
【請求項３５】
水を加熱するためのヒータ及び水温検知センサを有する温水タンクと、該温水タンクから温水が供給される洗浄ノズルと、この温水の供給を断続させるためのバルブとを有する温水洗浄装置において、
該洗浄ノズルへの給水量、該温水タンク内の水温、及び該バルブの開閉回数に基づいて温水タンクに加えられる負荷を算出する手段と、
この負荷の積算値を記憶する不揮発性記憶部と、
該不揮発性記憶部で記憶された積算負荷が設定負荷に達したときに視覚的又は音声的な表示を行う表示手段とを備えたことを特徴とする温水洗浄装置。
【請求項３６】
請求項３５において、前記積算負荷が前記設定負荷に達した場合に、前記ヒータへの通電を停止させること及び前記バルブを閉弁させることの少なくとも一方を行う手段を備えたことを特徴とする温水洗浄装置。
【請求項３７】
請求項３５において、前記設定負荷として第１の設定負荷と、それよりも大きい第２の設定負荷とが設定されており、前記積算負荷が第1の設定負荷に達したときに前記表示手段を作動させると共にヒータへの通電を停止し、第２の設定負荷に達したときに前記バルブを閉弁させる手段を備えたことを特徴とする温水洗浄装置。
【請求項３８】
請求項３５において、前記設定負荷として第１の設定負荷と、それよりも大きい第２の設定負荷と、さらにそれよりも大きい第３の設定負荷とが設定されており、前記積算負荷が第1の設定負荷に達したときに前記表示手段を作動させると共に、前記ヒータへの通電量を減少させ、第２の設定負荷に達したときに該ヒータへの通電を停止し、第３の設定負荷に達したときに前記バルブを閉弁させる手段を備えたことを特徴とする温水洗浄装置。
【請求項３９】
水を加熱するためのヒータ及び水温検知センサを有する温水タンクと、該温水タンクから温水が供給される洗浄ノズルと、この温水の供給を断続させるためのバルブとを有する温水洗浄装置において、
該洗浄ノズルへの給水量、該温水タンク内の水温、及び該バルブの開閉回数に基づいて温水タンクに加えられる負荷を算出する手段と、
この負荷の積算値を記憶する不揮発性記憶部と、
該不揮発性記憶部で記憶された積算負荷が設定負荷に達したときに洗浄ノズルへ供給する温水の温度又は水量を低下させる低下手段とを備えたことを特徴とする温水洗浄装置。
【請求項４０】
請求項３９において、前記設定負荷として第１の設定負荷と、それよりも大きい第２の設定負荷とが積算されており、前記設定負荷が第1の設定負荷に達したときに前記低下手段を作動させ、第２の設定負荷に達したときに前記バルブを閉弁させること及びヒータへの通電を停止することの少なくとも一方を行う手段を備えたことを特徴とする温水洗浄装置。
【請求項４１】
起倒方向に回動可能な便座本体と、該便座本体に設けられたヒータとを有する暖房便座において、
該暖房便座への負荷を検出するための手段として、
該便座本体の回動回数の検出手段、
該便座本体への着座の検出手段、及び
該便座本体への着座荷重の検出手段のうちの少なくとも１つの検出手段を設けると共に、該検出手段で検出された負荷の積算値を記憶する不揮発性記憶部と、該不揮発性記憶部で記憶された積算負荷が設定負荷に達したときに視覚的又は音声的な表示を行う表示手段とを備えたことを特徴とする暖房便座。
【請求項４２】
起倒方向に回動可能な便座本体と、該便座本体に設けられたヒータとを有する暖房便座において、該暖房便座の制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに視覚的又は音声的な表示を行う表示手段とを備えたことを特徴とする暖房便座。
【請求項４３】
請求項４１又は４２において、前記積算負荷が前記設定負荷よりも大きい所定の負荷に達したときに前記ヒータへの通電を停止する手段を備えたことを特徴とする暖房便座。
【請求項４４】
水加熱用ヒータを有する温水タンク及び該温水タンクから温水が供給される洗浄ノズルを備えた温水洗浄装置と、
起倒方向に回動可能な便座本体及び該便座本体に設けられたヒータを有する暖房便座とを具備した便器装置において、
該暖房便座への負荷を検出するための手段として、
該便座本体の回動回数の検出手段、
該便座本体への着座の検出手段、及び
該便座本体への着座荷重の検出手段のうちの少なくとも１つの検出手段を設けると共に、該検出手段で検出された負荷の積算値を記憶する不揮発性記憶部と、該不揮発性記憶部で記憶された積算負荷が設定負荷に達したときに該便座本体のヒータの温度を低下させるか又は該ヒータへの通電を停止する手段とを設けたことを特徴とする便器装置。
【請求項４５】
水加熱用ヒータを有する温水タンク及び該温水タンクから温水が供給される洗浄ノズルを備えた温水洗浄装置と、
エアヒータ及びブロワよりなる温風ファンとを具備した便器装置において、
該便器装置の制御回路の温度及び制御回路への通電時間に基づいて回路素子へ加えられる温度負荷を演算する手段と、
該温風ファンの回転数に基づいて検出された負荷を演算する手段と、
これらの負荷を積算した積算負荷を記憶する不揮発性記憶部と、
該不揮発性記憶部で記憶された積算負荷が設定負荷に達したときに
温水タンクから洗浄ノズルへ供給する温水の温度を低下させること、
該温水の流量を低下させること、
温風ファンの温風の温度を低下させること、及び
温風ファンの温風の風量を低下させることの
少なくとも１つを行う手段とを備えたことを特徴とする便器装置。
【請求項４６】
請求項４４又は４５において、前記積算負荷が前記設定負荷よりも大きい所定の負荷に達したときに洗浄ノズルへ供給する水の加熱停止、温水の供給停止、エアの加熱停止、及びエアの吹出停止の少なくとも１つを行う手段を備えたことを特徴とする便器装置。
【発明の詳細な説明】
【技術分野】
【０００１】
本発明は、電気設備、温水で便器使用者の臀部を洗浄する温水洗浄装置などの温水供給装置や、温水洗浄で濡れた臀部を温風で乾かすための温風ファン、あるいは洋風便器に設置される暖房便座等に関するものである。詳しくはメンテナンスの時期をユーザーに知らせる手段を備え、故障を未然に防止するようにしたこれら設備、装置に関するものである。
【背景技術】
【０００２】
温水洗浄装置にあっては、温水タンク等の温水源からの温水を洗浄ノズルに供給し、該洗浄ノズル先端から上方ないし斜め上方に噴出して人体臀部の洗浄を行うよう構成されている。最近では、洗浄後の臀部に温風を吹きつけて乾燥させる温風乾燥機構を備えた温水洗浄装置も広く普及している。この温水洗浄装置を備えた洋風便器の便座は、通常の場合、ヒータを有した暖房便座となっている。このような装置に故障が生じた場合、故障箇所を発光素子によって表示する技術が特開平５−２９５７８３号に記載されている。
【０００３】
特開平８−２７８７０号公報には、温水洗浄装置の各機器の動作状況を不揮発性記憶部に記憶させ、故障時にはこの不揮発性記憶部の記憶データを故障原因の解析に利用することが記載されている。また、同号公報の第００５７段落〜第００７０段落には、脱臭剤装填時からの経過時間又は便座への着座回数を不揮発性記憶部に記憶させ、この記憶データに基づいて脱臭剤の交換時期を報知することが記載されている。
【特許文献１】特開平５−２９５７８３号
【特許文献２】特開平８−２７８７０号公報
【発明の開示】
【発明が解決しようとする課題】
【０００４】
本発明は、温水洗浄装置の如く、水（湯であっても良い。）を供給する流体供給装置や温風ファン、暖房便座等において故障を未然に防止することを目的とする。
【課題を解決するための手段】
【０００５】
請求項１の電気設備は、経過した時間を積算した積算時間を記憶する不揮発性記憶部と、該不揮発性記憶部で記憶された積算時間が設定時間に達したときに視覚的又は音声的な表示を行う表示手段とを備えたことを特徴とするものである。
【０００６】
かかる電気設備にあっては、該電気設備の製作後、据付後、あるいは使用開始後に設定時間が経過すると例えば「サービスセンターに連絡するように」等の表示が行われるので、電気設備に寿命がきて故障が生じる前にメンテナンスを受けることができ、故障が未然に防止される。
【０００７】
請求項２の電気設備は、請求項１において、前記設定時間を再設定する再設定手段を備えたことを特徴とするものである。
【０００８】
かかる電気設備にあっては、メンテナンス後に再度時間を設定し、メンテナンス後に該設定時間が経過したときに再び表示が行われ、再びメンテナンスを受けることができる。この場合、２回目以降の設定時間はそれよりも前の設定時間よりも短くてもよい。
【０００９】
請求項３の電気設備は、請求項１又は２において、前記設定時間として第１の設定時間と、それよりも長い第２の設定時間とが設定されており、前記表示手段は第１の設定時間に達したときに作動するものであり、第２の設定時間に達したときに該流体供給装置の少なくとも一部の機器への通電量を低下させるか又は通電を停止する手段を備えたことを特徴とするものである。
【００１０】
請求項４の電気設備は、設定時間として第１の設定時間と、それよりも長い第２の設定時間と、さらにそれよりも長い第３の設定時間とが設定されており、前記表示手段は第１の設定時間に達したときに作動するものであり、第２の設定時間に達したときに該電気設備の少なくとも一部の機器への通電量を低下させるか又は通電を停止する手段と、第３の設定時間に達したときに通電量を低下させるか又は通電を停止する機器の数を増大させる手段とを備えたことを特徴とするものである。
【００１１】
かかる請求項３，４の電気設備にあっては、第１の設定時間がきたときにメンテナンスを受けなかった場合、第２又は第３の設定時間に達したときに少なくとも一部の機器への通電量を低下させるか又は通電が停止するので、使用者にメンテナンスの必要性を強く感じさせることができる。
【００１２】
請求項５の電気設備は、請求項１ないし４のいずれか１項において、前記経過した時間は該電気設備に通電した時間であることを特徴とするものである。
【００１３】
かかる電気設備によると、電気設備に実際に通電を行った時間に応じてメンテナンスを受けることができる。
【００１４】
請求項６の電気設備は、請求項１ないし４のいずれか１項において、前記経過した時間は該電気設備の一部の機器へ通電した時間であることを特徴とするものである。
【００１５】
かかる電気設備によると、例えば、電磁弁等の故障のおそれの高い機器への通電時間の積算時間に応じてメンテナンスを受けることができる。
【００１６】
請求項７の電気設備は、該電気設備の少なくとも一部の機器の作動回数の積算回数を記憶する不揮発性記憶部と、該不揮発性記憶部で記憶された積算回数が設定回数に達したときに視覚的又は音声的な表示を行う表示手段とを備えたことを特徴とするものである。
【００１７】
かかる電気設備によると、電磁弁やモータ等の機器の作動回数の積算回数に応じてメンテナンスを受けることができ、これらの機器に故障が生じる前にメンテナンスして故障を未然に防止することができる。
【００１８】
請求項８の電気設備は、請求項７において、前記設定回数を再設定する再設定手段を備えたことを特徴とするものである。
【００１９】
かかる電気設備にあっては、メンテナンス後に再度回数を設定し、該設定回数だけ機器が作動すると再度表示が行われ、再度メンテナンスを受けることができる。この場合、２回目以降の設定回数はそれよりも前の設定回数より少なくてもよい。
【００２０】
請求項９の電気設備は、請求項７又は８において、前記設定回数として第１の設定回数と、それよりも多い第２の設定回数とが設定されており、前記表示手段は第１の設定回数に達したときに作動するものであり、第２の設定回数に達したときに該電気設備の少なくとも一部の機器への通電量を低下させるか又は通電を停止する手段を備えたことを特徴とするものである。
【００２１】
請求項１０の電気設備は、設定回数として第１の設定回数と、それよりも多い第２の設定回数と、さらにそれよりも多い第３の設定回数とが設定されており、前記表示手段は第１の設定回数に達したときに作動するものであり、第２の設定回数に達したときに該電気設備の少なくとも一部の機器への通電量を低下させるか又は通電を停止する手段と、第３の設定回数に達したときに通電量を低下させるか又は通電を停止する機器の数を増大させる手段とを備えたことを特徴とするものである。
【００２２】
かかる請求項９，１０の電気設備にあっては、第１の設定回数到達時にメンテナンスを受けなかった場合、第２又は第３の設定回数に達したときに少なくとも一部の機器への通電量を低下させるか又は通電が停止するので、使用者にメンテナンスの必要性を強く感じさせることができる。
【００２３】
請求項１１の電気設備は、制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに視覚的又は音声的な表示を行う表示手段とを備えたことを特徴とするものである。
【００２４】
この電気設備は、制御回路の負荷を基準にしてサービスマンコール等の表示を行うものである。即ち、制御回路のコンデンサ、リレー等の素子は高温度に長時間晒されると寿命が短かくなるので、この請求項１１では、制御回路の温度とその温度におかれた時間との２ファクターに基づいて制御回路に加えられた負荷を算出し、且つ積算し、この積算負荷が設定負荷に達したときに表示を行うようにした。
【００２５】
請求項１２の通り、これら請求項１〜１２の電気設備は、例えば水などの流体の供給装置として用いることができる。
【００２６】
請求項１３の流体供給装置は、該流体供給装置を通過した流体量を積算した積算流体量を記憶する不揮発性記憶部と、該不揮発性記憶部で記憶された積算流体量が設定水量に達したときに視覚的又は音声的な表示を行う表示手段とを備えたことを特徴とするものである。
【００２７】
かかる流体供給装置によると、該流体供給装置の通算の供給流体量に応じてメンテナンスを受けることができ、故障が未然に防止される。
【００２８】
請求項１４の流体供給装置は、請求項１３において、前記設定流体量を再設定する再設定手段を備えたことを特徴とするものである。
【００２９】
かかる流体供給装置にあっては、メンテナンス後に再度回数を設定し、該設定流体量だけ機器が作動すると再度表示が行われ、再度メンテナンスを受けることができる。この場合、２回目以降の設定水量はそれよりも前の設定流体量より少なくてもよい。
【００３０】
請求項１５の流体供給装置は、請求項１３又は１４において、前記設定流体量として第１の設定流体量と、それよりも多い第２の設定流体量とが設定されており、前記表示手段は第１の設定流体量に達したときに作動するものであり、第２の設定流体量に達したときに該流体供給装置の少なくとも一部の機器への通電量を低下させるか又は通電を停止する手段を備えたことを特徴とするものである。
【００３１】
請求項１６の流体供給装置は、設定流体量として第１の設定流体量と、それよりも多い第２の設定流体量と、さらにそれよりも多い第３の設定流体量とが設定されており、前記表示手段は第１の設定流体量に達したときに作動するものであり、第２の設定流体量に達したときに該流体供給装置の少なくとも一部の機器への通電量を低下させるか又は通電を停止する手段と、第３の設定流体量に達したときに通電量を低下させるか又は通電を停止する機器の数を増大させる手段とを備えたことを特徴とするものである。
【００３２】
かかる請求項１５，１６の流体供給装置にあっては、第１の設定流体量到達時にメンテナンスを受けなかった場合、第２又は第３の設定流体量に達したときに少なくとも一部の機器への通電量を低下させるか又は通電が停止するので、使用者にメンテナンスの必要性を強く感じさせることができる。
【００３３】
請求項１７の流体供給装置は、流体を所定温度に加熱して供給する流体供給装置において、経過した時間を積算した積算時間を記憶する不揮発性記憶部と、該不揮発性記憶部で記憶された積算時間が設定時間に達したときに供給する流体の温度又は供給量を低下させる制御手段とを備えたことを特徴とするものである。
【００３４】
かかる流体供給装置にあっては、該流体供給装置の製作後、据付後、あるいは使用開始後に設定時間が経過すると自動的に流体の温度又は供給量が低下するので、使用者はこの異変に気が付き、サービスセンター等に連絡をとるようになる。これにより、該流体供給装置に寿命がきて故障が生じる前にメンテナンスを受けることができ、故障が未然に防止される。
【００３５】
請求項１８の流体供給装置は、請求項１７において、前記設定時間を再設定する再設定手段を備えたことを特徴とするものである。
【００３６】
かかる流体供給装置にあっては、メンテナンス後に再度時間を設定し、メンテナンス後に該設定時間が経過したときに再び自動的に流体の温度又は供給量が低下するので、使用者はこの異変に気が付き、サービスセンター等に連絡をとるようになる。これにより、再びメンテナンスを受けることができる。この場合、２回目以降の設定時間はそれよりも前の設定時間よりも短くてもよい。
【００３７】
請求項１９の流体供給装置は、請求項１７又は１８において、前記設定時間として第１の設定時間と、それよりも長い第２の設定時間とが設定されており、前記制御手段は第１の設定時間に達したときに作動するものであり、第２の設定時間に達したときに流体の加熱又は供給を停止する停止手段を備えたことを特徴とするものである。
【００３８】
請求項２０の流体供給装置は、設定時間として第１の設定時間と、それよりも長い第２の設定時間と、さらにそれよりも長い第３の設定時間とが設定されており、前記制御手段は第１の設定時間に達したときに作動するものであり、第２の設定時間に達したときに流体の加熱量又は供給量を低下させる手段と、第３の設定時間に達したときに流体の加熱又は供給を停止する停止手段とを備えたことを特徴とするものである。
【００３９】
かかる請求項１９，２０の流体供給装置にあっては、第１の設定時間がきたときにメンテナンスを受けなかった場合、第２の設定時間に達したときに流体の加熱又は供給が停止するので、使用者にメンテナンスの必要性を強く感じさせることができる。
【００４０】
請求項２１の流体供給装置は、請求項１７ないし２０のいずれか１項において、前記経過した時間は該流体供給装置に通電した時間であることを特徴とするものである。
【００４１】
かかる流体供給装置によると、流体供給装置に実際に通電を行った時間に応じてメンテナンスを受けることができる。
【００４２】
請求項２２の流体供給装置は、請求項１７ないし２０のいずれか１項において、前記経過した時間は該流体供給装置の一部の機器へ通電した時間であることを特徴とするものである。
【００４３】
かかる流体供給装置によると、例えば、電磁弁等の故障のおそれの高い機器への通電時間の積算時間に応じてメンテナンスを受けることができる。
【００４４】
請求項２３の流体供給装置は、流体を加熱して供給する流体供給装置において、少なくとも一部の機器の作動回数の積算回数を記憶する不揮発性記憶部と、該不揮発性記憶部で記憶された積算回数が設定回数に達したときに、供給する流体の温度又は供給量を低下させる制御手段とを備えたことを特徴とするものである。
【００４５】
かかる流体供給装置によると、電磁弁やモータ等の機器の作動回数の積算回数に応じてメンテナンスを受けることができ、これらの機器に故障が生じる前にメンテナンスして故障を未然に防止することができる。
【００４６】
請求項２４の流体供給装置は、請求項２３において、前記設定回数を再設定する再設定手段を備えたことを特徴とするものである。
【００４７】
かかる流体供給装置にあっては、メンテナンス後に再度回数を設定し、該設定回数だけ機器が作動すると再度表示が行われ、再度メンテナンスを受けることができる。この場合、２回目以降の設定回数はそれよりも前の設定回数より少なくてもよい。
【００４８】
請求項２５の流体供給装置は、請求項２３又は２４において、前記設定回数として第１の設定回数と、それよりも多い第２の設定回数とが設定されており、前記制御手段は第１の設定回数に達したときに作動するものであり、第２の設定回数に達したときに流体の加熱又は供給を停止する停止手段を備えたことを特徴とするものである。
【００４９】
請求項２６の流体供給装置は、設定回数として第１の設定回数と、それよりも多い第２の設定回数と、さらにそれよりも多い第３の設定回数とが設定されており、前記制御手段は第１の設定回数に達したときに作動するものであり、第２の設定回数に達したときに流体の加熱量又は供給量を低下させる手段と、第３の設定回数に達したときに流体の加熱又は供給を停止する停止手段とを備えたことを特徴とするものである。
【００５０】
かかる請求項２５，２６の流体供給装置にあっては、第１の設定回数到達時にメンテナンスを受けなかった場合、第２又は第３の設定回数に達したときに流体の加熱又は供給が停止するので、使用者にメンテナンスの必要性を強く感じさせることができる。
【００５１】
請求項２７の流体供給装置は、該流体供給装置を通過した流体量を積算した積算量を記憶する不揮発性記憶部と、該不揮発性記憶部で記憶された積算量が設定流体量に達したときに、供給する流体の温度又は供給量を低下させる制御手段とを備えたことを特徴とするものである。
【００５２】
かかる流体供給装置によると、該流体供給装置の通算の供給流体量に応じてメンテナンスを受けることができ、故障が未然に防止される。
【００５３】
請求項２８の流体供給装置は、請求項２７において、前記設定量を再設定する再設定手段を備えたことを特徴とするものである。
【００５４】
かかる流体供給装置にあっては、メンテナンス後に再度回数を設定し、該設定水量だけ流体が供給されると再度供給する流体の温度又は供給量が低下するので、再度メンテナンスを受けることができる。この場合、２回目以降の設定量はそれよりも前の設定量より少なくてもよい。
【００５５】
請求項２９の流体供給装置は、請求項２７又は２８において、前記設定量として第１の設定量と、それよりも多い第２の設定量とが設定されており、前記制御手段は第１の設定量に達したときに作動するものであり、第２の設定量に達したときに流体の加熱又は供給を停止する停止手段を備えたことを特徴とするものである。
【００５６】
請求項３０の流体供給装置は、設定量として第１の設定量と、それよりも多い第２の設定量と、さらにそれよりも多い第３の設定量とが設定されており、前記制御手段は第１の設定量に達したときに作動するものであり、第２の設定量に達したときに流体の加熱量又は供給量を低下させる手段と、第３の設定量に達したときに流体の加熱又は供給を停止する停止手段とを備えたことを特徴とするものである。
【００５７】
かかる請求項２９，３０の流体供給装置にあっては、第１の設定量到達時にメンテナンスを受けなかった場合、第２又は第３の設定量に達したときに流体の加熱又は供給が停止するので、使用者にメンテナンスの必要性を強く感じさせることができる。
【００５８】
請求項３１の流体供給装置は、流体を所定温度に加熱して供給する流体供給装置において、該流体供給装置の制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに供給する流体の温度又は供給量を低下させる手段とを備えたことを特徴とするものである。
【００５９】
この流体供給装置は、制御回路の負荷を基準にして供給する流体の温度又は供給量を低下させるものである。即ち、制御回路のコンデンサ、リレー等の素子は高温度に長時間晒されると寿命が短かくなるので、この請求項１２では、制御回路の温度とその温度におかれた時間との２ファクターに基づいて制御回路に加えられた負荷を算出し、且つ積算し、この積算負荷が設定負荷に達したときに供給する流体の温度又は供給量を低下させるようにした。
【００６０】
請求項３２，３３の通り、前記不揮発性記憶部は、不揮発性記憶素子であってもよく、揮発性記憶素子とバックアップ電池とで構成されても良い。
【００６１】
請求項３４の通り、この流体供給装置は温水洗浄装置に適用するのに好適である。
【００６２】
請求項３５の温水洗浄装置は、水を加熱するためのヒータ及び水温検知センサを有する温水タンクと、該温水タンクから温水が供給される洗浄ノズルと、この温水の供給を断続させるためのバルブとを有する温水洗浄装置において、該洗浄ノズルへの給水量、該温水タンク内の水温、及び該バルブの開閉回数に基づいて温水タンクに加えられる負荷を算出する手段と、この負荷の積算値を記憶する不揮発性記憶部と、該不揮発性記憶部で記憶された積算負荷が設定負荷に達したときに視覚的又は音声的な表示を行う表示手段とを備えたことを特徴とするものである。
【００６３】
かかる温水洗浄装置にあっては、温水タンクに加えられる負荷が設定負荷に達すると表示が行われ、メンテナンスを受けることができ、温水洗浄装置の故障が未然に防止される。
【００６４】
請求項３６の温水洗浄装置は、請求項３５において、前記積算負荷が前記設定負荷に達した場合に、前記ヒータへの通電を停止させること及び前記バルブを閉弁させることの少なくとも一方を行う手段を備えたことを特徴とするものである。
【００６５】
ヒータへの通電を停止した場合には、冷たい水しか出ないようになり、またバルブを閉弁させた場合には、水が出ないので、使用者がメンテナンスの必要性を強く感じ取るようになる。
【００６６】
請求項３７の温水洗浄装置は、請求項３５において、前記設定負荷として第１の設定負荷と、それよりも大きい第２の設定負荷とが設定されており、前記積算負荷が第1の設定負荷に達したときに前記表示手段を作動させると共にヒータへの通電を停止し、第２の設定負荷に達したときに前記バルブを閉弁させる手段を備えたことを特徴とするものである。
【００６７】
請求項３８の温水洗浄装置は、設定負荷として第１の設定負荷と、それよりも大きい第２の設定負荷と、さらにそれよりも大きい第３の設定負荷とが設定されており、前記積算負荷が第1の設定負荷に達したときに前記表示手段を作動させると共に、前記ヒータへの通電量を減少させ、第２の設定負荷に達したときに該ヒータへの通電を停止し、第３の設定負荷に達したときに前記バルブを閉弁させる手段を備えたことを特徴とするものである。
【００６８】
かかる温水洗浄装置にあっても、第１、第２の設定負荷に達したときにメンテナンスの必要性が強く感じられるが、第１の設定負荷到達後のように水温が低いだけの場合は、一応は温水洗浄装置の使用が可能であり、メンテナンスを行うサービスマンがくるまで温水洗浄装置を使用できる。第２又は第３の設定負荷到達後の場合、使用者がサービスマンを呼んでメンテナンスを受けるまでは、水が出なくなり使用ができないようになる。
【００６９】
請求項３９の温水洗浄装置は、水を加熱するためのヒータ及び水温検知センサを有する温水タンクと、該温水タンクから温水が供給される洗浄ノズルと、この温水の供給を断続させるためのバルブとを有する温水洗浄装置において、該洗浄ノズルへの給水量、該温水タンク内の水温、及び該バルブの開閉回数に基づいて温水タンクに加えられる負荷を算出する手段と、この負荷の積算値を記憶する不揮発性記憶部と、該不揮発性記憶部で記憶された積算負荷が設定負荷に達したときに洗浄ノズルへ供給する温水の温度又は水量を低下させる低下手段とを備えたことを特徴とするものである。
【００７０】
かかる温水洗浄装置にあっては、温水タンクに加えられる負荷が設定負荷に達すると洗浄ノズルから噴出する温水の温度又は水量が低下するので、メンテナンスを受けることができ、温水洗浄装置の故障が未然に防止される。
【００７１】
請求項４０の温水洗浄装置は、請求項３９において、前記設定負荷として第１の設定負荷と、それよりも大きい第２の設定負荷とが積算されており、前記設定負荷が第1の設定負荷に達したときに前記低下手段を作動させ、第２の設定負荷に達したときに前記バルブを閉弁させること及びヒータへの通電を停止することの少なくとも一方を行う手段を備えたことを特徴とするものである。
【００７２】
かかる温水洗浄装置にあっても、第１、第２の設定負荷に達したときにメンテナンスの必要性が強く感じられるが、洗浄ノズルから噴出する温水の温度が低い又は水量が少ない第１の設定負荷到達後の場合は、一応は温水洗浄装置の使用が可能であり、メンテナンスを行うサービスマンがくるまで温水洗浄装置を使用できる。第２の設定負荷到達後の場合、使用者がサービスマンを呼んでメンテナンスを受けるまでは安全のため加熱していない冷水しか出なかったり、あるいは水が出なくなり、事実上使用ができないようになる。
【００７３】
請求項４１の暖房便座は、起倒方向に回動可能な便座本体と、該便座本体に設けられたヒータとを有する暖房便座において、該暖房便座への負荷を検出するための手段として、該便座本体の回動回数の検出手段、該便座本体への着座の検出手段、及び該便座本体への着座荷重の検出手段のうちの少なくとも１つの検出手段を設けると共に、該検出手段で検出された負荷の積算値を記憶する不揮発性記憶部と、該不揮発性記憶部で記憶された積算負荷が設定負荷に達したときに視覚的又は音声的な表示を行う表示手段とを備えたことを特徴とするものである。
【００７４】
かかる暖房便座においては、該便座本体に加えられる負荷が設定負荷に達するとメンテナンスを受けるようになり、暖房便座の故障が未然に防止されるようになる。
【００７５】
請求項４２の暖房便座は、起倒方向に回動可能な便座本体と、該便座本体に設けられたヒータとを有する暖房便座において、該暖房便座の制御回路の温度及び制御回路への通電時間に基づいて回路素子へ加えられる温度負荷を演算する手段と、この温度負荷を積算した積算負荷を記憶する不揮発性記憶部と、該不揮発性記憶部で記憶された積算負荷が設定負荷に達したときに視覚的又は音声的な表示を行う表示手段とを備えたことを特徴とするものである。
【００７６】
かかる暖房便座は、前記請求項３１と同様に制御回路の経時的な温度負荷に基づいて表示を行うようにしたものである。
【００７７】
請求項４３の暖房便座は、請求項４１又は４２において、前記積算負荷が所定の負荷に達したときに前記ヒータへの通電を停止する手段を備えたことを特徴とするものである。
【００７８】
かかる暖房便座にあっては、負荷が所定負荷に達すると便座本体が暖まらなくなるので、使用者はメンテナンスの必要性を強く感じ取るようになる。
【００７９】
請求項４４の便器装置は、水加熱用ヒータを有する温水タンク及び該温水タンクから温水が供給される洗浄ノズルを備えた温水洗浄装置と、起倒方向に回動可能な便座本体及び該便座本体に設けられたヒータを有する暖房便座とを具備した便器装置において、該暖房便座への負荷を検出するための手段として、該便座本体の回動回数の検出手段、該便座本体への着座の検出手段、及び該便座本体への着座荷重の検出手段のうちの少なくとも１つの検出手段を設けると共に、該検出手段で検出された負荷の積算値を記憶する不揮発性記憶部と、該不揮発性記憶部で記憶された積算負荷が設定負荷に達したときに該便座本体のヒータの温度を低下させるか又は該ヒータへの通電を停止する手段とを備えたことを特徴とするものである。
【００８０】
かかる便器装置においては、該便座本体に加えられる負荷が設定負荷に達すると、便座の温度が低くなる（又は冷たくなる）ので、メンテナンスを受けるようになり、暖房便座の故障が未然に防止されるようになる。
【００８１】
請求項４５の便器装置は、水加熱用ヒータを有する温水タンク及び該温水タンクから温水が供給される洗浄ノズルを備えた温水洗浄装置と、エアヒータ及びブロワよりなる温風ファンとを具備した便器装置において、該便器装置の制御回路の温度及び制御回路への通電時間に基づいて回路素子へ加えられる温度負荷を演算する手段と、該温風ファンの回転数に基づいて検出された負荷を演算する手段と、これらの負荷を積算した積算負荷を記憶する不揮発性記憶部と、該不揮発性記憶部で記憶された積算負荷が設定負荷に達したときに温水タンクから洗浄ノズルへ供給する温水の温度を低下させること、該温水の流量を低下させること、温風ファンの温風の温度を低下させること、及び温風ファンの温風の風量を低下させることの少なくとも１つを行う手段とを備えたことを特徴とするものである。
【００８２】
かかる便器装置は、前記請求項３１と同様に制御回路及び温風ファンの経時的な温度負荷を求め、この負荷が設定負荷に達すると温水の温度低下、温水の水量低下、温風の温度低下、及び温風の風量低下の少なくとも１つを行うようにしたものである。
【００８３】
請求項４６の便器装置は、請求項４４又は４５において、前記積算負荷が前記設定負荷よりも大きい所定の負荷に達したときに洗浄ノズルへ供給する水の加熱停止、温水の供給停止、エアの加熱停止、及び温風の供給停止の少なくとも１つを行う手段を備えたことを特徴とするものである。
【００８４】
かかる便器装置にあっては、負荷が所定負荷に達すると洗浄ノズルから冷水しか出ない、洗浄ノズルから水が出ない、温風ファンから冷風しか出ない、又は温風ファンから風が出てこないようになるので、使用者はメンテナンスの必要性を強く感じ取るようになる。
【発明の効果】
【００８５】
本発明によると、温水洗浄装置や暖房便座などの電気設備に寿命がきて故障が生じる前にメンテナンスを受けることが可能となり、故障が未然に防止されるようになる。なお、第１回目の警告を温水や温風の温度又は流量の低下によって行う場合、この低下は体感されるものであり無視されにくいので、サービスマンを呼んで修理、点検を受けてもらえる率が高いものとなる。また、この温度や流量が低下しても装置の使用は継続でき、便利である。
【発明を実施するための最良の形態】
【００８６】
以下、図面を参照して本発明の実施の形態について説明する。
【００８７】
図１は実施の形態に係る温水洗浄装置及び暖房便座のブロック図、図２〜４はこの温水洗浄装置等の制御内容を示すフローチャートである。
【００８８】
図１において、水道水等の給水は給水配管１及びメインバルブ２を介して温水タンク３に流入する。この温水タンク３にはヒータ４及び温度検出用サーミスタ４ａが設けられており、水が所定温度の湯（温水）とされる。この温水は配管６、流量センサ７、流量（洗浄強さ）調節バルブ８を介して洗浄ノズル９へ送られ、該ノズル９の先端から上方ないし斜め上方に噴出して暖房便座１０の着座者の臀部に注ぎかけられる。図示はしないが、温水をノズル９へ供給するためのポンプを設けてもよい。
【００８９】
この暖房便座１０は、便座ボックス１１に上下方向回動自在に支持された便座本体１２と、この便座本体１２に設けられたヒータ１３とを有する。前記メインバルブ２、温水タンク３、バルブ７及び洗浄ノズル８はこの便座ボックス１１に設置されている。
【００９０】
また、この着座者の臀部に温風を吹き付けるための温風ファン２０と、上記各機器を制御する制御器３０とが該便座ボックス１１に設置されている。この制御器３０には不揮発性記憶部が設けられている。この温風ファン２０は、ブロワ２１とエアヒータ２２とを備えている。なお、制御器３０の回路基板（図示略）の温度を測定するために、便座ボックス１１内の該回路基板近傍にサーミスタ２４が設置されている。
【００９１】
この温水洗浄装置及び暖房便座を制御するための制御器３０は、リモコン等のコントローラ４０と信号の授受を行うと共に、サーミスタ５，２４及び便座本体１２に設けられたサーミスタ（図示略）から温度信号が入力される。
【００９２】
コントローラ４０は、液晶表示パネル４１のほかに、洗浄スイッチ４２、温風スイッチ４３、ストップスイッチ４４、暖房便座スイッチ４５、温水、温風又は暖房便座の温度を調節するための温度スイッチ４６、音声を発生するためのスピーカ４７を備えている。
【００９３】
洗浄スイッチ４２を押すと、メインバルブ２が開弁し、洗浄ノズル９から温水が噴出し、ストップスイッチ４４を押すとメインバルブ２が閉弁し、温水が停止する。
【００９４】
温風スイッチ４３を押すと、温風ファン２０から温風が吹き出し、ストップスイッチ４４を押すと温風が停止する。暖房便座スイッチ４５を押すと、暖房便座１０のヒータ１３へ通電が行われて便座加温が行なわれ、暖房便座スイッチ４５をもう１回押すと、ヒータ１３への通電が停止される。
【００９５】
暖房便座スイッチ４５をＯＮとし、臀部洗浄及び温風乾燥のいずれも行っていない状態で温度スイッチ４６を操作することにより暖房便座１０の温度が調節され、温水を噴出している状態で温度スイッチ４６を操作することにより温水温度が調節される。温風を吹き出している状態で温度スイッチ４６を操作することにより温風温度が調節される。
【００９６】
温水、温風、暖房便座の温度や作動状態が日付、時刻等と共に液晶パネル４１に表示されている。なお、この制御器３０は電池を電源としてもよく、商用電源を電源としてもよい。
【００９７】
図２は最も簡易な制御例を示すものである。この温水洗浄装置及び暖房便座に初めて通電されたり又は初めてコントローラに電池が装着された時点、あるいはいずれかのスイッチ４２〜４６が初めて操作された時点を始点とし、制御器３０に設けられた不揮発性記憶部が経過時間を記憶する。
【００９８】
かかる温水洗浄装置及び暖房便座にあっては、該装置の製造後、据付後、あるいは使用開始後、設定時間Ｔが経過すると液晶パネル４１に「サービスセンターに連絡するように」等のサービスマンコールの表示が行われる。これにより、該装置に寿命がきて故障が生じる前にメンテナンスを受けることができ、故障が未然に防止される。
【００９９】
図３のフローチャートは図２のものにおいて、前記設定時間を再設定する手段を備えたことを特徴とするものである。即ち、サービスセンターから派遣されたサービスマンがメンテナンスを行った後、前記スイッチ４２〜４６を特定パターンに従って操作することによってリセット信号が生じて不揮発性記憶部の記憶時間がキャンセルされ、再度０から計時が再開する。従って、前回のメンテナンス後に該設定時間が経過したときに再び表示が行われ、再びメンテナンスを受けることができる。この場合、２回目以降の設定時間はそれよりも前の設定時間の９０％の長さとしている。これは、各パーツの経時劣化を考慮したものである。なお、１０％ずつ減少させるのではなく、一定幅ずつ減らしてもよい。また、２回目又は３回目等までは減少させるが、３回目あるいは４回目以降は前回と同じ時間に設定してもよい。なお、この「９０％」は一例であり、他の％値であっても良いことは明らかである。
【０１００】
図４のフローチャートは、図３のものにおいて、前記設定時間として第１の設定時間Ｔ１と、それよりも長い第２の設定時間Ｔ２とが設定されており、液晶パネル４１には第１の設定時間Ｔ１に達したときにサービスマンコールが表示される。第２の設定時間Ｔ２に達したときにはヒータ４，１３への通電を停止する。
【０１０１】
かかる装置にあっては、第１の設定時間Ｔ１がきたときにメンテナンスを受けなかった場合、第２の設定時間Ｔ２に達したときに臀部洗浄水や暖房便座１０が暖かくならないので、使用者にメンテナンスの必要性を強く感じさせることができる。
【０１０２】
図示はしないが、第２の設定時間Ｔ２よりも長い第３の設定時間Ｔ３を設定し、第２の設定時間Ｔ２に達したときにヒータ４，１３への通電量を減少させ、第３の設定時間Ｔ３に達したときにヒータ４，１３への通電を停止するようにしても良い。
【０１０３】
図示はしないが、不揮発性記憶部は該装置が商用電源に接続された時間だけを記憶するものであっても良い。このようにすれば、該装置に実際に通電を行った時間に応じてメンテナンスを受けることができる。
【０１０４】
同様に図示はしないが、不揮発性記憶部はヒータ４，１３や、温風ファン２０又はメインバルブ２、ポンプに通電した時間だけを記憶するものであってもよい。かかる装置によると、ヒータやバルブ、ブロワ等の故障のおそれの高い機器への通電時間の積算時間に応じてメンテナンスを受けることができる。
【０１０５】
さらに、不揮発性記憶部は、ポンプ５、メインバルブ２又は温風ファン２０への通電回数を記憶するものであってもよい。かかる装置によると、バルブやブロワの作動回数の積算回数に応じてメンテナンスを受けることができ、これらの機器に故障が生じる前にメンテナンスして故障を未然に防止することができる。
【０１０６】
不揮発性記憶部は、さらに、流量センサ７の検出流量を積算した積算水量を記憶するものであってもよい。
【０１０７】
かかる装置によると、該温水洗浄装置の通算の供給温水量に応じてメンテナンスを受けることができ、バルブやポンプ等の故障が未然に防止される。
【０１０８】
さらに、不揮発性記憶部はサーミスタ２４で検知される制御器３０の温度と経過時間とに基づいて算出される負荷（例えば温度と時間との積）を記憶するものであってもよい。このようにすれば、制御器３０、特にその素子が劣化する前にメンテナンスを受けることができる。
【０１０９】
図８は別の実施の形態に係る温水洗浄装置及び暖房便座を有する便器装置のブロック図、図９〜１１はこの温水洗浄装置等の制御内容を示すフローチャートである。
【０１１０】
図８においては、温水タンク３からの温水流出用の配管６に流量調節可能なポンプ５が設けられている他は、図１と同一の構成となっている。即ち、温水タンク３内の温水は流量調節可能なポンプ５、配管６、流量センサ７、流量（洗浄強さ）調節バルブ８を介して洗浄ノズル９へ送られ、該ノズル９の先端から上方ないし斜め上方に噴出して暖房便座１０の着座者の臀部に注ぎかけられる。図示はしないが、温水を給水圧によってノズル９へ供給するようにしてポンプ５を省略し、代わりに制御器３０によって開度が制御されるバルブを設けてもよい。その他の構成は図１と全く同一であるので、同一部分に同一符号を付して説明を省略する。
【０１１１】
図９は最も簡易な制御例を示すものである。この温水洗浄装置及び暖房便座に初めて通電されたり又は初めてコントローラに電池が装着された時点、あるいはいずれかのスイッチ４２〜４６が初めて操作された時点を始点とし、制御器３０に設けられた不揮発性記憶部が経過時間を記憶する。
【０１１２】
かかる温水洗浄装置及び暖房便座にあっては、該装置の製造後、据付後、あるいは使用開始後、設定時間Ｔが経過すると液晶パネル４１に「サービスセンターに連絡するように」等のサービスマンコールの表示が行われると共に、少なくとも１つのヒータ４，２２の出力低下あるいはポンプ５の回転数低下、ブロワ２１の回転数低下が行われる。これにより、該装置に寿命がきて故障が生じる前にメンテナンスを受けることができ、故障が未然に防止される。
【０１１３】
図１０のフローチャートは図９のものにおいて、前記設定時間を再設定する手段を備えたことを特徴とするものである。即ち、サービスセンターから派遣されたサービスマンがメンテナンスを行った後、前記スイッチ４２〜４６を特定パターンに従って操作することによってリセット信号が生じて不揮発性記憶部の記憶時間がキャンセルされ、再度０から計時が再開する。従って、前回のメンテナンス後に設定時間が経過したときに再び表示が行われると共に、少なくとも１つのヒータ４，２２の出力低下あるいはポンプ５の回転数低下、ブロワ２１の回転数低下が行われ、再びメンテナンスを受けることができる。この場合、２回目以降の設定時間はそれよりも前の設定時間の９０％の長さとしている。これは、各パーツの経時劣化を考慮したものである。なお、１０％すつ減少させるのではなく、一定幅ずつ減らしてもよい。また、２回目又は３回目等までは減少させるが、３回目あるいは４回目以降は前回と同じ時間に設定してもよい。なお、この「９０％」は一例であり、他の％値であってもよいことは明らかである。
【０１１４】
図１１のフローチャートは、図１０のものにおいて、前記設定時間として第１の設定時間Ｔ１と、それよりも長い第２の設定時間Ｔ２とが設定されており、第１の設定時間Ｔ１に達したときに液晶パネル４１にサービスマンコールが表示されると共に、少なくとも１つのヒータ４，２２の出力低下あるいはポンプ５の回転数低下、ブロワ２１の回転数低下が行われる。第２の設定時間Ｔ２に達したときには少なくとも１つのヒータ４，１３，２２への通電を停止するか、メインバルブ２を閉弁するか、又はポンプ５及びブロワ２１の少なくとも一方を停止させる。
【０１１５】
かかる装置にあっては、第１の設定時間Ｔ１がきたときにメンテナンスを受けなかった場合、第２の設定時間Ｔ２に達したときに臀部洗浄水、臀部乾燥風や暖房便座１０が暖かくならなかったり、あるいは臀部洗浄水、臀部乾燥風が出ないので、使用者にメンテナンスの必要性を強く感じさせることができる。
【０１１６】
これらの装置においても、メンテナンス後に前記設定水量や設定負荷を再設定する手段を備えてもよいことは明らかである。また、この場合、２回目以降の設定水量や設定負荷はそれよりも前の設定水量や設定負荷より少なくてもよい。さらに、設定水量や設定負荷として第１の設定量と、それよりも多い第２の設定量とが設定されており、第１の設定量に達したときに前記表示が行われると共に、少なくとも１つのヒータ４，２２の出力低下あるいはポンプ５の回転数低下、ブロワ２１の回転数低下が行われ、第２の設定量に達したときに少なくとも一部のヒータへの通電を停止したり、ポンプ５又はブロワ２１を停止したり、メインバルブ２を強制的に閉弁させてもよい。ヒータ４，２２への通電を停止した場合には、冷たい水や風しか出ないようになり、ヒータ１３への通電を停止すると便座が冷たくなり、ブロワ２１を停止すると風が出なくなり、またメインバルブ２を強制的に閉弁させるか又はポンプ５を停止させた場合には、水が出ないので、いずれの場合も使用者がメンテナンスの必要性を強く感じ取るようになる。
【０１１７】
この図１１の制御において、Ｔ２よりも長い第３の設定時間Ｔ３を設定し、第２の設定時間Ｔ２に達したときにはヒータ４，１３，２２の少なくとも１つへの通電量を減少させるか、又はポンプ５、ブロワ２１の少なくとも一方の回転数を低下させ、第３の設定時間Ｔ３に達したときには少なくとも１つのヒータ４，１３，２２への通電を停止するか、メインバルブ２を閉弁するか、又はポンプ５及びブロワ２１の少なくとも一方を停止させるようにしても良い。
【０１１８】
図１，８の温水洗浄装置は、流量センサ７で検出される洗浄ノズル９への給水量、サーミスタ４ａで検出される温水タンク３内の水温、及びメインバルブ２の開閉回数に基づいて温水タンク３に加えられる負荷を算出し、この負荷の積算値を不揮発性記憶素子に記憶させ、該不揮発性記憶素子で記憶された積算負荷が設定負荷に達したときに液晶パネル４１やスピーカ４７等によって視覚的又は音声的な表示を行うようにしてもよい。
【０１１９】
かかる温水洗浄装置にあっては、温水タンク３に加えられる負荷が設定負荷に達すると表示が行われ、メンテナンスを受けることができ、温水洗浄装置の故障が未然に防止される。
【０１２０】
図１，８の温水洗浄装置は、流量センサ７で検出される洗浄ノズル９への給水量、サーミスタ４ａで検出される温水タンク３内の水温、及びメインバルブ２の開閉回数に基づいて温水タンク３に加えられる負荷を算出し、この負荷の積算値を不揮発性記憶素子に記憶させ、該不揮発性記憶素子で記憶された積算負荷が設定負荷に達したときに液晶パネル４１やスピーカ４７等によって視覚的又は音声的な表示を行われると共に、少なくとも１つのヒータ４，２２の出力低下あるいはポンプ５の回転数低下、ブロワ２１の回転数低下が行われるようにしてもよい。
【０１２１】
かかる温水洗浄装置にあっては、温水タンク３に加えられる負荷が設定負荷に達すると表示が行われると共に、温水温度の低下、温水流量の低下、温風温度の低下、温風風量の低下の少なくとも１つが行われ、メンテナンスを受けることができ、温水洗浄装置の故障が未然に防止される。
【０１２２】
不揮発性記憶部としては、不揮発性記憶素子の代わりに揮発性記憶素子とバックアップ電池とを採用しても良い。
【０１２３】
本発明は温水洗浄装置以外の浄水器、給湯器等の水供給装置に適用しても良い。
【０１２４】
図５は、本発明の実施の形態に係る暖房便座の斜視図、図６，７はそれぞれこの暖房便座の制御例を示すフローチャートである。
【０１２５】
図１，８と同様に便座ボックス５０に暖房便座６０が上下方向回動自在に取り付けられている。この暖房便座６０は便座本体６２にヒータ６３を設けたものである。便座ボックス５０には、この暖房便座６０の上下回動を検知する回動検知センサ５１と、暖房便座６０へ着座した人の体重を検知する荷重センサ５２と、ヒータ６３の温度を調節するボリューム５３と、電源スイッチ５４と、電源スイッチ５４がＯＮされているときだけ点灯するＬＥＤ等のランプ５５とが設けられている。
【０１２６】
便座ボックス５０内に設けられた制御器（図５では図示略）には、これらセンサ５１，５２の検出信号及びボリューム５３の信号が入力され、該制御器がヒータ６３への通電を制御する。ヒータ６３への通電は、便座ボックス５０と便座本体６２とをつなぐように設けられるか、又は便座本体６２の支軸（図示略）内を挿通されたリード線によって行なわれる。
【０１２７】
このリード線は、暖房便座６０の上下回動によってごくわずかずつ傷む。そこで、図６では、この上下回動回数を不揮発性記憶部よりなる回数メモリに記憶させ、この上下回動回数が規定のＫ１に達するとランプ５５を点滅させて警告を発し、この警告にもかかわらずメンテナンスを受けなかったときには、上下回動回数がＫ１よりも多いＫ２に達したときにヒータ６３への通電を停止させる。なお、ランプ５５の点滅に応じてメンテナンスを受けたときには、例えば、サービスマンが制御器に設けられたキャンセルスイッチを操作すること等により回数メモリの記憶をキャンセルする。この際、その後の規定回数Ｋ１は、前回のＫ１値よりも小さくしても良い。
【０１２８】
Ｋ２よりも多いＫ３をさらに設定し、Ｋ２に達したときにヒータ６３への通電量を減少させ、Ｋ３に達したときにヒータ６３への通電を停止しても良い。
【０１２９】
暖房便座６０に座った人の体重によって暖房便座６０に負荷が加えられ、支軸等が少しずつ劣化してくるので、暖房便座６０の上下回動回数だけでなく着座者の体重による負荷をも加味して警告を発するようにしても良い。
【０１３０】
図７は、この制御例であり、センサ５１により検知される上下回動回数を不揮発性記憶部よりなる負荷メモリに蓄積させると共に、着座があったときには荷重センサ５２により検出される荷重から荷重負荷を演算する。例えば、体重１ｋｇにつき上下回動の０．０１回に相当するものとし、荷重に０．０１を乗じた値を上下回動回数相当負荷とし、これを上記の上下回動回数と加算するようにして負荷メモリに蓄積する。なお、この係数０．０１は一例であり、機種や便座本体６２の構成材料等に応じて適宜選択すれば良い。
【０１３１】
このような上下回動回数及び着座荷重の双方による総合的な負荷の積算値Ｌが規定のＬ１に達したときにランプ５５を点滅させて警告を発し、それが無視されたときには負荷がＬ２（Ｌ１よりも大）に達したときにヒータ６３への通電を停止する。ランプ５５の点滅に応じてメンテナンスを受けたときには、負荷メモリの記憶をキャンセルする。
【０１３２】
Ｌ２よりも大きいＬ３をさらに設定し、Ｌ２に達したときにヒータ６３への通電量を減少させ、Ｌ３に達したときにヒータ６３への通電を停止しても良い。
【０１３３】
図１２は、図５の温水洗浄装置付き暖房便座の別の制御例を示すフローチャートである。
【０１３４】
この制御例では、暖房便座６０の上下回動回数を不揮発性記憶部よりなる回数メモリに記憶させ、この上下回動回数が規定のＫ１に達するとランプ５５を点滅させて警告を発すると共に、温水洗浄装置の噴出温水温度、温水量、温風ファンの温風温度、温風量の少なくとも１つを低下させる。この警告にもかかわらずメンテナンスを受けなかったときには、上下回動回数がＫ１よりも多いＫ２に達したときにヒータ６３への通電を停止させるか、又は温水洗浄装置の温水の噴出停止、水の加熱停止、温風の吹出停止、風の加熱停止の少なくとも１つを行う。なお、ランプ５５の点滅に応じてメンテナンスを受けたときには、例えば、サービスマンが制御器に設けられたキャンセルスイッチを操作すること等により回数メモリの記憶をキャンセルする。この際、その後の規定回数Ｋ１は、前回のＫ１値よりも小さくしてもよい。
【０１３５】
Ｋ２よりも多いＫ３をさらに設定し、Ｋ２に達したときにヒータ６３への通電量を減少させ、Ｋ３に達したときにヒータ６３への通電を停止しても良い。
【０１３６】
前記図７の制御と同様に、暖房便座６０に座った人の体重によって暖房便座６０に負荷が加えられ、支軸等が少しずつ劣化してくるので、暖房便座６０の上下回動回数だけでなく着座者の体重による負荷をも加味して警告を発するようにしてもよい。
【０１３７】
図１３は、この制御例であり、センサ５１により検知される上下回動回数を不揮発性記憶部よりなる負荷メモリに蓄積させると共に、着座があったときには荷重センサ５２により検出される荷重から荷重負荷を演算する。例えば、体重１ｋｇにつき上下回動の０．０１回に相当するものとし、荷重に０．０１を乗じた値を上下回動回数相当負荷とし、これを上記の上下回動回数と加算するようにして負荷メモリに蓄積する。なお、この係数０．０１は一例であり、機種や便座本体６２の構成材料等に応じて適宜選択すればよい。
【０１３８】
このような上下回動回数及び着座荷重の双方による総合的な負荷の積算値Ｌが規定のＬ１に達したときにランプ５５を点滅させて警告を発すると共に、温水洗浄装置の噴出温水温度、温水量、温風ファンの温風温度、温風量の少なくとも１つを低下させる。それが無視されたときには負荷がＬ２（Ｌ１よりも大）に達したときにヒータ６３への通電を停止するか、又は温水洗浄装置の温水の噴出停止、水の加熱停止、温風の吹出停止、風の加熱停止の少なくとも１つを行う。ランプ５５の点滅や温水温度の低下などの第１回目の警告に応じてメンテナンスを受けたときには、負荷メモリの記憶をキャンセルする。
【０１３９】
Ｌ２よりも大きいＬ３をさらに設定し、Ｌ２に達したときにヒータ６３への通電量を減少させ、Ｌ３に達したときにヒータ６３への通電を停止しても良い。
【図面の簡単な説明】
【０１４０】
【図１】実施の形態に係る温水洗浄装置及び暖房便座のブロック図である。
【図２】図１の装置の制御例を示すフローチャートである。
【図３】図１の装置の制御例を示すフローチャートである。
【図４】図１の装置の制御例を示すフローチャートである。
【図５】実施の形態に係る暖房便座の斜視図である。
【図６】図５の制御例を示すフローチャートである。
【図７】図５の制御例を示すフローチャートである。
【図８】実施の形態に係る温水洗浄装置及び暖房便座のブロック図である。
【図９】図８の装置の制御例を示すフローチャートである。
【図１０】図８の装置の制御例を示すフローチャートである。
【図１１】図８の装置の制御例を示すフローチャートである。
【図１２】図５の装置の別の制御例を示すフローチャートである。
【図１３】図５の装置のさらに別の制御例を示すフローチャートである。
【符号の説明】
【０１４１】
２  メインバルブ
３  温水タンク
４  ヒータ
４ａ  サーミスタ
５  ポンプ
７  流量センサ
８  流量調節バルブ
９  洗浄ノズル
１０  暖房便座
１１  便座ボックス
１２  便座本体
１３  ヒータ
２０  温風ファン
２１  ブロワ
２２  ヒータ
２４  サーミスタ
３０  制御器
４０  コントローラ
５０  便座ボックス
６０  暖房便座
【図１】
2005194877.tif 000003
【図２】
2005194877.tif 000004
【図３】
2005194877.tif 000005
【図４】
2005194877.tif 000006
【図５】
2005194877.tif 000007
【図６】
2005194877.tif 000008
【図７】
2005194877.tif 000009
【図８】
2005194877.tif 000010
【図９】
2005194877.tif 000011
【図１０】
2005194877.tif 000012
【図１１】
2005194877.tif 000013
【図１２】
2005194877.tif 000014
【図１３】
2005194877.tif 000015